(57)【要約】      （修正有）【課題】ボビンへの巻線及び巻線後の線材の切断を効率的に行うことができ、よって巻線作業の短縮化を図ることができる巻治具を提供する。【解決手段】基端部に巻線機への取付部１３が形成されるとともに、中央部に先端側から外装されたボビンを固定する保持部１４が形成された巻治具１において、保持部１４に装着したボビンから突出する先端部分に、ボビンに巻回した線材の端部を切断するための切断部材２（基台部３、切断刃４）を一体的に設けた。【選択図】図１
2016096199.tif 000002
【特許請求の範囲】
【請求項１】
基端部に巻線機への取付部が形成されるとともに、中央部に先端側から外装されたボビンを固定する保持部が形成された巻治具において、
上記保持部に装着した上記ボビンから突出する先端部分に、当該ボビンに巻回した線材の端部を切断するための切断部材を一体的に設けたことを特徴とする巻治具。
【請求項２】
上記切断部材は、上記先端部分に対向配置された一対の切断刃であり、少なくとも一方の上記切断刃が他方の上記切断刃に対して接離自在に設けられるとともに、これら切断刃間には、当該切断刃を互いに離間する方向に付勢する付勢手段が介装されていることを特徴とする請求項１に記載の巻治具。
【発明の詳細な説明】
【技術分野】
【０００１】
本発明は、各種の巻線部品におけるボビンの外周に巻線を行う際に用いられる巻治具に関するものである。
【背景技術】
【０００２】
チョークコイルやトランス等の巻線部品を製造する際に、ボビンの外周に電線を巻回してコイルを形成するための巻線機が用いられている。このような巻線機においては、図７〜図１０に示すように、様々な径寸法のボビン１０に対する巻線を行うために、ボビン１０の径寸法に対応した巻治具１１が用意されており、ボビン１０の内径寸法に対応した外形寸法の巻治具１１に当該ボビン１０を固定して巻線機１２に取り付けている。
【０００３】
図８は、従来の巻治具１１を示すもので、図中符号１３が基端部に形成された上記巻線機１２への取付部である。そして、この取付部１３の先端部側に、上記ボビン１０を固定するための保持部１４が形成されている。
【０００４】
この保持部１４は、外径寸法が対応するボビン１０の内径寸法に形成されるとともに、ボビン１０の内径寸法の製造公差内における相違に対応して、ボビン１０毎に外径寸法が幾分調整可能となるように、直径方向に貫通する溝部１４ａが軸線方向の全長にわたって形成されている。また、この保持部１４の先端部分には、先端に向けて漸次縮径されてボビン１０への挿入を容易とするテーパー部１５が形成されている。
【０００５】
上記構成からなる巻治具１１を用いてボビン１０の外周に巻線を施すには、先ず図７に示すように、取付部１３を巻線機１２の巻治具取付部１２ａに装着して、巻治具１１を巻線機１２に取り付けた後に、図９に示すように、保持部１４の先端側のテーパー部１５からボビン１０の中心孔に挿入して、当該ボビン１０を保持部１４に固定する。
【０００６】
そして、図１０に示すように、作業者Ｐが、電線ｗの巻き始め端部をボビン１０の端子１０ａ（図９参照）に絡げて、当該電線ｗをボビン外周に導いた後に、巻線機１０を作動させることにより巻治具１１を回転させ、これに固定されているボビン１０の外周に電線ｗを巻回する。
【０００７】
そして、ボビン１０が予め設定した回数（ターン数）回転して巻線機１２が停止した後に、作業者Ｐが電線ｗを引き出して端子１０ａに仮絡げを行った後に、ニッパ等の工具を用いて余分な電線ｗを切断し、電線ｗが巻回されたボビン１０を巻治具１１から取り外して、半田付け等の後工程に送っている。
【発明の概要】
【発明が解決しようとする課題】
【０００８】
ところで、上記従来の巻線工程においては、巻線が完了して電線ｗの引き出し部を端子１０ａに仮絡げを行った後に、作業者Ｐが工具置き場にあるニッパ等の工具を手に取って、これにより電線ｗの切断を行い、再び上記工具を置き場に戻しているために、作業に無駄時間が生じて作業効率に劣るという問題点があった。
【０００９】
そこで、作業者Ｐが、常時上記工具を手にしたままで一連の作業を行おうとすると、端子１０ａへの電線ｗの絡げ作業等の他の作業が円滑に行えなくなるという問題点があった。
【００１０】
本発明は、上記事情に鑑みてなされたものであり、ボビンへの巻線および巻線後の線材の切断を効率的に行うことができ、よって巻線作業の短縮化を図ることができる巻治具を提供することを課題とするものである。
【課題を解決するための手段】
【００１１】
上記課題を解決するため、請求項１に記載の発明は、基端部に巻線機への取付部が形成されるとともに、中央部に先端側から外装されたボビンを固定する保持部が形成された巻治具において、上記保持部に装着した上記ボビンから突出する先端部分に、当該ボビンに巻回した線材の端部を切断するための切断部材を一体的に設けたことを特徴とするものである。
【００１２】
また、請求項２に記載の発明は、請求項１に記載の発明において、上記切断部材は、上記先端部分に対向配置された一対の切断刃であり、少なくとも一方の上記切断刃が他方の上記切断刃に対して接離自在に設けられるとともに、これら切断刃間には、当該切断刃を互いに離間する方向に付勢する付勢手段が介装されていることを特徴とするものである。
【発明の効果】
【００１３】
請求項１または２に記載の発明によれば、巻線機によって上記巻治具に固定されているボビンの外周に線材を巻回した後に、ボビンの外周から引き出した線材を、そのまま巻治具の先端部分に設けた切断部材によって切断することができる。このため、線材の切断を効率的に行うことができるとともに、作業者が別途切断用の工具を手に取って切断作業を行う必要がなく、よって巻線作業の短縮化を図ることが可能になる。
【図面の簡単な説明】
【００１４】
【図１】本発明の一実施形態を示す正面図である。
【図２】図１の切断部材を示すもので、（ａ）は正面図、（ｂ）は底面図である。
【図３】図１の巻治具にボビンを装着した状態を示す正面図である。
【図４】図３のボビンへの巻線後に電線の端部を切断する状態を示す正面図である。
【図５】図４の電線切断時における切断部材の状態を示す正面図である。
【図６】本発明の他の実施形態を示す正面図である。
【図７】従来の一般的な巻線機を示す概略構成図である。
【図８】図６の巻治具を示す正面図である。
【図９】図７の巻治具にボビンを装着した状態を示す正面図である。
【図１０】図６に巻線機によって巻線作業を行う状態を示す概略図である。
【発明を実施するための形態】
【００１５】
図１〜図５は、本発明に係る巻治具の一実施形態を示すもので、図８に示した従来のものと同一構成部分に付いては、同一符号を付してその説明を簡略化する。
図１〜図５に示すように、この巻治具１においては、ボビン１０を保持部１４に装着した際に当該ボビン１０から突出する先端部分に、切断部材２が設けられている。
【００１６】
この切断部材２は、保持部１４の先端側に対向配置された一対の基台部３と、各基台部３の対向面３ａの先端側に取り付けられた切断刃４とから概略構成されたもので、切断刃４は、互いに接近した際に両者間において線材ｗを切断可能となる位置に対向配置されている。また、基台部３の外周面は、先端側に向けて漸次縮径するテーパー状に形成されている。
【００１７】
そして、基台部３の基端面には突起５が一体に形成され、この突起５が保持部１４の端面に形成された溝部６内に係合されている。この溝部６は、基台部３が互いに接離する方向に長手方向を有するように形成されており、これにより一対に基台部３は、互いの接離方向に移動自在に設けられている。また、基台部３の対向面３ａの基端部には、切断刃４が互いに離間する方向に基台部３を付勢するスプリング（付勢手段）７が介装されている。
【００１８】
上記構成からなる巻治具１においては、図３に示すように、保持部１４にボビン１０を固定し、上記巻線機１２（図１０参照）によってボビン１０の外周に線材ｗを巻回してコイルを形成した後に、図４に示すように、線材ｗを端子１０ａに仮絡げを行って切断部材２の切断刃４間に導く。
【００１９】
そして、図４および図５に示すように、作業者が切断部材２の両基台部３の外面に指を添えて、スプリング７の付勢力に抗して互いに接近させる方向に押圧することにより、切断刃４によって間に位置する線材の引き出し部分ｗ０を切断する。
【００２０】
このように、上記巻治具１によれば、巻線機１２によって巻治具１に固定されているボビン１０の外周に線材ｗを巻回した後に、ボビン１０の外周から引き出した線材ｗ０を、そのまま巻治具１の先端部分に設けた切断部材２の切断刃４によって切断することができる。このため、線材ｗ０の切断を効率的に行うことができるとともに、作業者Ｐが別途切断用の工具を手に取って切断作業を行う必要がなく、よって巻線作業の短縮化を図ることができる。
【００２１】
なお、上記実施形態においては、切断部材２を、保持部１４の先端側に一対の基台部３を互いに接離自在に設け、これら基台部３の対向面３ａの先端側に切断刃４を取り付けて構成した場合に付いてのみ説明したが、本発明はこれに限定されるものではなく、例えば図６に示す巻治具８のように、溝部１４ａを間に挟んだ一方のテーパー部１５ａを従来と同様に保持部１４の先端側に一体に形成し、このテーパー部１５ａに対して１つの基台部３を接離自在に設けるとともに、テーパー部１５ａおよび基台部３の先端側に、それぞれ切断刃４を設けるようにしてもよい。
【００２２】
また、予め切断刃４を離間する方向に保持するための付勢部材として、スプリング７を用いた場合に付いて示したが、本発明はこれに限らず、例えば上記付勢部材としてゴム等の弾性部材を用い、これを基台部３間に介装しても同様の作用効果を得ることができる。
【符号の説明】
【００２３】
１、８  巻治具
２  切断部材
３  基台部
４  切断刃
５  突起
６  溝部
７  スプリング（付勢部材）
ｗ  線材
【図１】
2016096199.tif 000003
【図２】
2016096199.tif 000004
【図３】
2016096199.tif 000005
【図４】
2016096199.tif 000006
【図５】
2016096199.tif 000007
【図６】
2016096199.tif 000008
【図７】
2016096199.tif 000009
【図８】
2016096199.tif 000010
【図９】
2016096199.tif 000011
【図１０】
2016096199.tif 000012